(57)【要約】【課題】転がり抵抗性と操縦安定性を向上することができる空気入りタイヤを提供する【解決手段】  トレッドゴム２６の幅方向端部の外側にサイドウォールゴム２８のタイヤ径方向外側が重ねて設けられた空気入りタイヤにおいて、トレッドゴム２６のベースゴム層２６Ｂが、キャップゴム層２６Ａのタイヤ径方向内側に設けられたアンダーゴム部２６Ｂ１と、アンダーゴム部２６Ｂ１のタイヤ幅方向端部からタイヤ径方向外側へ延びキャップゴム層２６Ａとサイドウォールゴム２８の間に配置された巻き上げ部２６Ｂ２とを備え、キャップゴム層２６Ａのゴム硬度Ｈ１が２６Ｂのゴム硬度Ｈ２より大きく、かつ、ベースゴム層２６Ｂのゴム硬度Ｈ２がサイドウォールゴム２８のゴム硬度Ｈ３より大きい。【選択図】        図１
2020100336.tif 000002
【特許請求の範囲】
【請求項１】
タイヤ接地面をなすキャップゴム層と前記キャップゴム層のタイヤ径方向内側に設けられたベースゴム層とを備えるトレッドゴムが設けられたトレッド部と、サイドウォールゴムが設けられたサイドウォール部とを備え、
前記トレッドゴムの幅方向端部の外側に前記サイドウォールゴムのタイヤ径方向外側が重ねて設けられた空気入りタイヤにおいて、
前記ベースゴム層は、前記キャップゴム層のタイヤ径方向内側に設けられたアンダーゴム部と、前記アンダーゴム部のタイヤ幅方向端部からタイヤ径方向外側へ延び前記キャップゴム層と前記サイドウォールゴムの間に配置された巻き上げ部とを備え、
前記キャップゴム層のゴム硬度が前記ベースゴム層のゴム硬度より大きく、かつ、前記ベースゴム層のゴム硬度が前記サイドウォールゴムのゴム硬度より大きい空気入りタイヤ。
【請求項２】
前記ベースゴム層の温度２３℃における損失正接ｔａｎδが０．２５以下である請求項１に記載の空気入りタイヤ。
【請求項３】
前記巻き上げ部のタイヤ径方向外側端が、前記キャップゴム層及び前記サイドウォールゴムによって覆われ外表面に露出していない請求項１又は２に記載の空気入りタイヤ。
【発明の詳細な説明】
【技術分野】
【０００１】
本発明は、空気入りタイヤに関する。
【背景技術】
【０００２】
例えば、特許文献１に記載の空気入りタイヤでは、転がり抵抗性の向上を図るため、トレッド面（タイヤ接地面）をなすキャップゴムと、このキャップゴムのタイヤ径方向内側に低発熱性のゴムを使用したアンダートレッドゴムとを積層してトレッド部を構成することが提案されている。
【０００３】
しかしながら、上記特許文献１に記載の空気入りタイヤでは、ベルト端部の近傍にトレッド部の幅方向端部とサイドウォールとの界面が位置するため、タイヤ耐久性や操縦安定性が悪化するおそれがある。
【先行技術文献】
【特許文献】
【０００４】
【特許文献１】特開２０１２−１１１２６９号公報
【発明の概要】
【発明が解決しようとする課題】
【０００５】
本発明は、以上の点に鑑み、転がり抵抗性と操縦安定性を向上することができる空気入りタイヤを提供することを目的とする。
【課題を解決するための手段】
【０００６】
本発明の空気入りタイヤは、タイヤ接地面をなすキャップゴム層と前記キャップゴム層のタイヤ径方向内側に設けられたベースゴム層とを備えるトレッドゴムが設けられたトレッド部と、サイドウォールゴムが設けられたサイドウォール部とを備え、前記トレッドゴムの幅方向端部の外側に前記サイドウォールゴムのタイヤ径方向外側が重ねて設けられた空気入りタイヤにおいて、前記ベースゴム層は、前記キャップゴム層のタイヤ径方向内側に設けられたアンダーゴム部と、前記アンダーゴム部のタイヤ幅方向端部からタイヤ径方向外側へ延び前記キャップゴム層と前記サイドウォールゴムの間に配置された巻き上げ部とを備え、前記キャップゴム層のゴム硬度が前記ベースゴム層のゴム硬度より大きく、かつ、前記ベースゴム層のゴム硬度が前記サイドウォールゴムのゴム硬度より大きいものである。
【発明の効果】
【０００７】
本発明では、ベースゴム層が、キャップゴム層のタイヤ径方向内側に設けられたアンダーゴム部と、アンダーゴム部のタイヤ幅方向端部からタイヤ径方向外側へ延びキャップゴム層とサイドウォールゴムの間に配置された巻き上げ部とを備え、キャップゴム層のゴム硬度がベースゴム層のゴム硬度より大きく、かつ、ベースゴム層のゴム硬度がサイドウォールゴムのゴム硬度より大きいため、転がり抵抗性と操縦安定性を向上することができる。
【図面の簡単な説明】
【０００８】
【図１】本発明の第１実施形態の空気入りタイヤの半断面図。
【図２】本発明の変更例の空気入りタイヤの半断面図。
【発明を実施するための形態】
【０００９】
図１は、一実施形態に係る空気入りタイヤを、タイヤ回転軸を含む子午線断面で切断した右側半断面図である。ここでは、左右対称のタイヤであるため、左側半分は図示を省略している。図中、ＣＬはタイヤ赤道面を示し、ＴＥはタイヤ接地時における接地端を示す。
【００１０】
なお、本明細書において、タイヤ幅方向とは、タイヤ回転軸に平行な方向であって、タイヤ軸方向と同義であり、図において符号Ｗで示す。タイヤ径方向（ラジアル方向）とは、タイヤ回転軸に垂直な方向であり、図において符号Ｋで示す。これらについて、それぞれ以下単に、幅方向、径方向ということがある。
【００１１】
このタイヤは、左右一対のビード部１０と、ビード部１０からタイヤ径方向外方に延びる左右一対のサイドウォール部１２と、タイヤ接地面を構成するトレッド部１４と、トレッド部１４の幅方向両側でサイドウォール部１２との間を繋ぐ左右一対のバットレス部１６とを備えてなる。図示するように、本実施形態のタイヤにおいて、トレッド部１４からバットレス部１６に至る断面プロファイルは、接地端ＴＥを境として崖状の落ち込んだ形状ではなく、トレッド部１４からなだらかに湾曲してバットレス部１６に至る形状とされている。
【００１２】
タイヤには、一対のビード部１０間にまたがって延びるカーカス１８が埋設されている。カーカス１８は、トレッド部１４からバットレス部１６及びサイドウォール部１２を通って延在し、ビード部１０に埋設された環状のビードコア２０にて係止されている。カーカス１８は、カーカスコードを周方向に対して７０〜９０度の角度で配列した、少なくとも１枚（図示の例では１枚）のカーカスプライからなり、タイヤ内面に沿って配設されている。
【００１３】
トレッド部１４におけるカーカス１８の外周側にはベルト２２が配設されている。ベルト２２は、ベルトコードを周方向に対して傾斜配列したベルトプライからなり、この例では２枚のベルトプライで構成されている。また、ベルト２２の外周には、キャッププライと称される周方向にらせん状に巻回した有機繊維コードよりなるベルト補強層２４が設けられている。
【００１４】
ベルト２２の径方向外側には、タイヤ接地面を構成するトレッドゴム２６が設けられている。この例では、トレッドゴム２６は、タイヤ接地面をなすキャップゴム層２６Ａと、その内側に設けられたベースゴム層２６Ｂとの２層で構成されている。ベースゴム層２６Ｂは、キャップゴム層２６Ａよりｔａｎδ（２３℃）が小さく、低発熱性（転がり抵抗性）に優れるゴム組成物により形成されている。なお、トレッドゴム２６の表面には、周方向に延びる縦溝や、該縦溝に交差する方向に延びる横溝などにより、所定のトレッドパターンが形成されている。
【００１５】
サイドウォール部１２においてカーカス１８の外面側には、サイドウォールゴム２８が設けられている。サイドウォールゴム２８は、サイドウォール部１２の表面（タイヤ外表面）を構成するゴム部材であり、耐カット性の高い一般的なサイドウォール用配合のゴム組成物により形成されている。
【００１６】
バットレス部１６においてカーカス１８の外面側には、トレッドゴム２６の幅方向端部とサイドウォールゴム２８の径方向端部との接合部が設けられている。詳細には、ベースゴム層２６Ｂは、キャップゴム層２６Ａの径方向内側に設けられたアンダーゴム部２６Ｂ１と、アンダーゴム部２６Ｂ１の幅方向端部から径方向外側へ延びる巻き上げ部２６Ｂ２とを備える。なお、アンダーゴム部２６Ｂ１及び巻き上げ部２６Ｂ２は、同一のゴム組成物より一体に形成されている。
【００１７】
アンダーゴム部２６Ｂ１は、ベルト２２の端部２２Ｅやベルト補強層２４を越えて幅方向外側へ延びバットレス部１６まで延在している。つまり、アンダーゴム部２６Ｂ１が径方向外側からベルト２２及びベルト補強層２４を覆うように設けられている。
【００１８】
巻き上げ部２６Ｂ２は、キャップゴム層２６Ａとサイドウォールゴム２８の間に配置され、巻き上げ部２６Ｂ２とアンダーゴム部２６Ｂ１とでキャップゴム層２６Ａの幅方向端部を径方向内側から覆っている。
【００１９】
巻き上げ部２６Ｂ２は、径方向外側に向かうほど先細になっており、巻き上げ部２６Ｂ２の先端がタイヤ接地面に達することなくトレッドゴム２６とサイドウォールゴム２８との境界で終端している。つまり、巻き上げ部２６Ｂ２の径方向外側端は、キャップゴム層２６Ａ及びサイドウォールゴム２８によって覆われており、タイヤ外表面（タイヤ接地面）に露出していない。
【００２０】
本実施形態では、キャップゴム層２６Ａが、ベースゴム層２６Ｂよりもゴム硬度が大きいゴムで形成されている。また、ベースゴム層２６Ｂが、サイドウォールゴム２８よりもゴム硬度が大きいゴムで形成されている。つまり、キャップゴム層２６Ａのゴム硬度Ｈ１、ベースゴム層２６Ｂのゴム硬度Ｈ２、サイドウォールゴム２８のゴム硬度Ｈ３とすると、Ｈ１＞Ｈ２＞Ｈ３となる。キャップゴム層２６Ａのゴム硬度Ｈ１とベースゴム層２６Ｂのゴム硬度Ｈ２とのゴム硬度差（Ｈ１−Ｈ２）が２〜１２、ベースゴム層２６Ｂのゴム硬度Ｈ２とサイドウォールゴム２８のゴム硬度Ｈ３とのゴム硬度差（Ｈ２−Ｈ３）が２〜８であることが好ましい。一例を挙げると、キャップゴム層２６Ａのゴム硬度Ｈ１を６２〜７７、ベースゴム層２６Ｂのゴム硬度Ｈ２を６０〜７０、サイドウォールゴム２８のゴム硬度Ｈ３を５０〜６０とすることができる。
【００２１】
また、キャップゴム層２６Ａの損失正接ｔａｎδ（２３℃）を０．１５〜０．３０、ベースゴム層２６Ｂの損失正接ｔａｎδ（２３℃）を０．１０〜０．２５とすることができる。
【００２２】
ここで、ゴム硬度は、ＪＩＳ  Ｋ６２５３−１−２０１２に準拠して、２３℃雰囲気において、一般ゴム（中硬さ）用のタイプＡデュロメータで測定される値（デュロメータ硬さ）である。また、損失正接ｔａｎδ（２３℃）は、ＪＩＳ  Ｋ６３９４：２００７に準拠して、温度２３℃、振動数２０Ｈｚ、伸張変形歪率１０％±２％の条件で測定される値である。
【００２３】
なお、以上の説明において、タイヤ接地時とは、空気入りタイヤを正規リムにリム組みし、正規内圧を充填した状態でタイヤを平坦な路面に垂直に置き、正規荷重を加えた時のことである。タイヤ接地面とは、タイヤ接地時において、空気入りタイヤと路面とが接触する面のことである。接地端とは、タイヤ接地時において、路面に接地するタイヤ接地面のタイヤ幅方向端部のことである。接地幅とは、タイヤ幅方向両側の接地端の幅（間隔）のことである。
【００２４】
また、以下の説明における空気入りタイヤの特徴や各種寸法は、特に記載が無い場合は、正規リムに装着され正規内圧が充填された空気入りタイヤの無負荷状態でのものである。ここで、正規リムとは、ＪＡＴＭＡ規格における「標準リム」、ＴＲＡ規格における「Design Rim」、又はＥＴＲＴＯ規格における「Measuring Rim」のことである。また、正規内圧とは、ＪＡＴＭＡ規格における「最高空気圧」、ＴＲＡ規格における「TIRE LOAD LIMITS AT VARIOUS COLD INFLATION PRESSURES」の最大値、又はＥＴＲＴＯ規格における「INFLATION PRESSURE」のことである。正規荷重とは、ＪＡＴＭＡ規格における「最大負荷能力」、ＴＲＡ規格における「TIRE LOAD LIMITS AT VARIOUS COLD INFLATION PRESSURES」の最大値、又はＥＴＲＴＯ規格における「LOAD CAPACITY」のことである。
【００２５】
以上のように本実施形態の空気入りタイヤでは、タイヤ接地面をなすキャップゴム層２６Ａのゴム硬度を大きくすることで操縦安定性を向上することができる。
【００２６】
しかも、ゴム硬度の大きいキャップゴム層２６Ａとゴム硬度の小さいサイドウォールゴム２８との間に、キャップゴム層２６Ａより小さくサイドウォールゴム２８より大きいゴム硬度のベースゴム層２６Ｂの巻き上げ部２６Ｂ２が設けられているため、トレッドゴム２６とサイドウォールゴム２８との界面近傍に集中する歪みを緩和することができ、タイヤ耐久性を向上することができる。
【００２７】
また、本実施形態では、トレッドゴム２６とサイドウォールゴム２８と間に配置されたベースゴム層２６Ｂの巻き上げ部２６Ｂ２が、キャップゴム層２６Ａよりｔａｎδ（２３℃）が小さく、低発熱性に優れるゴム組成物により形成されているため、トレッドゴム２６に占める低発熱性ゴム組成物の含有量が増加して、転がり抵抗性を向上することができるとともに、タイヤ変形時に歪みが集中しやすい箇所に低発熱性のゴム組成物を配置することができ、効果的に発熱を抑えて転がり抵抗性を向上することができる。
【００２８】
また、本実施形態では、ベースゴム層２６Ｂの巻き上げ部２６Ｂ２がタイヤ外表面に露出していないため、耐光性を考慮することなくベースゴム層２６Ｂを構成するゴム組成物を決定することができタイヤ設計が容易となる。
【００２９】
（変更例）
上記の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。
【００３０】
上記した第１実施形態では、巻き上げ部２６Ｂ２の径方向外側端がタイヤ外表面に露出しない場合について説明したが、例えば、図２に示すように、巻き上げ部２６Ｂ２の径方向外側端がタイヤ外表面に露出してもよい。このような場合、接地端ＴＥよりタイヤ幅方向外側において巻き上げ部２６Ｂ２がタイヤ外表面に露出することが好ましい。
【００３１】
このような変更例の空気入りタイヤでは、上記の実施形態の作用効果に加え、低発熱性に優れるゴム組成物から形成されたベースゴム層２６Ｂの体積が増加するため、更なる転がり抵抗性能の向上を図ることができる。
【符号の説明】
【００３２】
１０…ビード部、１２…サイドウォール部、１４…トレッド部、１６…バットレス部、１８…カーカス、２０…ビードコア、２２…ベルト、２４…ベルト補強層、２６…トレッドゴム、２６Ａ…キャップゴム層、２６Ｂ…ベースゴム層、２６Ｂ１…アンダーゴム部、２６Ｂ２…巻き上げ部、２８…サイドウォールゴム
【図１】
2020100336.tif 000003
【図２】
2020100336.tif 000004